(57)【要約】【課題】携帯通信機器において、デザイン面と音質とを考慮して、双方に有利なスピーカの放音孔を配設する。【解決手段】音を放出するスピーカと、このスピーカからの放音の方向を制御する放音制御手段を設ける。放音制御手段を、裏面側キャビネット４５に設けた複数の放音孔１５，１６，１７と、メッシュシート５３と、両面テープ５２と、透明シート５１とで構成する。【選択図】図５
2007060140.tif 000002
【特許請求の範囲】
【請求項１】
音を放出するスピーカと、該スピーカからの放音の方向を制御する放音制御手段とを備えた携帯通信機器であって、
上記放音制御手段は、キャビネットに設けた複数の放音孔と、メッシュシートと、両面テープと、透明シートとで構成されていることを特徴とする携帯通信機器。
【請求項２】
請求項１に記載の携帯通信機器において、
上記放音孔は、キャビネットを貫通した貫通孔と、キャビネットを貫通せず、表面側が凹陥された非貫通孔とで構成され、該非貫通孔は、放音孔が配設された領域の中央部に配設されていることを特徴とする携帯通信機器。
【請求項３】
請求項２に記載の携帯通信機器において、
上記キャビネットを貫通した複数の貫通孔は、一部が透明シートで覆われて音を通さない遮音孔となっていることを特徴とする携帯通信機器。
【請求項４】
請求項３に記載の携帯通信機器において、
上記非貫通孔及び遮音孔は、放音孔が配設された領域の中央部分に配設されていることを特徴とする携帯通信機器。
【請求項５】
請求項３乃至４のいずれか１つに記載の携帯通信機器において、
上記スピーカは、放音孔が配設された領域の中央部分に配設されていることを特徴とする携帯通信機器。
【請求項６】
請求項５に記載の携帯通信機器において、
上記放音孔は、左右対称に同数及び同形状で配設されていることを特徴とする携帯通信機器。
【請求項７】
請求項３乃至６のいずれか１つに記載の携帯通信機器において、
上記メッシュシートと、両面テープと、透明シートとは、キャビネットの内部から貼り付けられ、
上記メッシュシートは、少なくとも全ての上記貫通孔を覆い、
上記両面テープは、少なくとも全ての上記貫通孔を囲む両面テープ側開口を有し、
上記透明シートは、上記遮音孔を除く貫通孔のみを囲む透明シート側開口を有するように構成されていることを特徴とする携帯通信機器。
【請求項８】
請求項１乃至７のいずれか１つに記載の携帯通信機器において、
上記両面テープは、複数の両面テープ側位置決め用孔を有し、
上記透明シートは、上記両面テープ側位置決め用孔に対応する位置に透明シート側位置決め用孔を有し、
上記キャビネットには、上記各位置決め用孔に対応するように位置決め用突起が形成されていることを特徴とする携帯通信機器。
【請求項９】
請求項１乃至８のいずれか１つに記載の携帯通信機器において、
上記スピーカからの音漏れを防止する音漏れ防止手段を有していることを特徴とする携帯通信機器。
【請求項１０】
請求項９に記載の携帯通信機器において、
上記音漏れ防止手段は、スピーカに設けたスピーカ側クッションと、キャビネットに配設されたゴムクッションとを密着することにより形成されていることを特徴とする携帯通信機器。
【請求項１１】
上記携帯通信機器は、携帯電話機であることを特徴とする請求項１０に記載の携帯通信機器。
【発明の詳細な説明】
【技術分野】
【０００１】
本発明は、携帯電話機やＰＨＳ等の携帯通信機器に関し、特にそのスピーカの音を放出する放音孔の構造に関する。
【背景技術】
【０００２】
近年、携帯通信機器は、携帯電話機やＰＨＳのように小型化が進む一方、テレビ、テレビ電話等の各種機能が搭載されるようになってきている。それ故に、それらに搭載するための受話部とは別のスピーカが必要になる。スピーカからの音は、スピーカの前面にあるキャビネットに放音孔を複数設けることにより放出される。このような携帯通信機器として、例えば、特許文献１及び特許文献２がある。
【０００３】
特許文献１では、キャビネットの裏面にスピーカを配設し、スピーカの前面に貫通孔及びその周囲にダミー穴を設け、ダミー穴形状を直径３ｍｍ以下、深さ０．５ｍｍ以上としたり、ダミー穴の底面形状を錐形状、台形状、半球形状とし、又はダミー穴と半球形状の組み合わせとすることで、ダミー穴に入った直進光が真直ぐに反射されず、乱反射するようにしたりする工夫をしている。このようにして、外観上、貫通孔とダミー穴とを区別しにくくし、見映えをよくしている。
【０００４】
特許文献２では、ダミー穴を透明樹脂パネルの前面に配設された第１の凹部と、透明樹脂パネルの背面に配設されて第１の凹部に対向する第２の凹部とで構成し、キャビネットの少なくとも第２の凹部と接する部分を、上記キャビネットに装着されたスピーカの振動板と同色に着色している。このことで、スピーカ用の放音孔と、ダミー穴との外観的差異の不自然さを解消し、デザイン的に優れると共に、成形が容易で従来の強度を維持し、金型のメンテナンスのコストが低い透明樹脂パネルを装着したキャビネットを得るようにしている。
【特許文献１】特開平９−２１５０７６号公報
【特許文献２】特開２００２−１５２８７１号公報
【発明の開示】
【発明が解決しようとする課題】
【０００５】
ところで、１つのスピーカによってキャビネットに施した放音孔から放出する音に関し、放音孔の位置によって放出される音質が変化することが知られている。
【０００６】
しかしながら、製品はデザイン面も軽視できず、音質とデザイン性とが必ずしも一致しないという問題がある。
【０００７】
本発明は、かかる点に鑑みてなされたものであり、その目的とするところは、デザイン面と音質とを考慮して、双方に有利な放音孔を配設することにある。
【課題を解決するための手段】
【０００８】
上記目的を達成するために、第１の発明では、音を放出するスピーカと、該スピーカからの放音の方向を制御する放音制御手段とを備えた携帯通信機器を対象とし、
上記放音制御手段は、キャビネットに設けた複数の放音孔と、メッシュシートと、両面テープと、透明シートとで構成されている。
【０００９】
上記の構成によると、組み付けやすい簡単な構成でコストを掛けずに、スピーカからの放音の方向の制御が行われる。このようにスピーカからの放音の方向を制御することにより、音質の変化の自由度が増す。
【００１０】
第２の発明では、上記放音孔は、キャビネットを貫通した貫通孔と、キャビネットを貫通せず、表面側が凹陥された非貫通孔とで構成され、該非貫通孔は、放音孔が配設された領域の中央部に配設されている。
【００１１】
上記の構成によると、非貫通孔は、表面側が凹陥されることで、貫通孔と外観の差異が小さくなるので、見映えがよくなる。
【００１２】
第３の発明では、上記キャビネットを貫通した複数の貫通孔は、一部が透明シートで覆われて音を通さない遮音孔となっている。
【００１３】
上記の構成によると、遮音孔は、透明シートに覆われて音を通さない性能を有しているが、透明な部材で覆われているので、外観は貫通孔と変わらず、見映えがよくなる。
【００１４】
第４の発明では、上記非貫通孔及び遮音孔は、放音孔が配設された領域の中央部分に配設されている。
【００１５】
上記の構成によると、音を通さない非貫通孔及び遮音孔が、音を通す貫通孔に囲まれた位置に配設される。
【００１６】
第５の発明では、上記スピーカは、放音孔が配設された領域の中央部分に配設されている。
【００１７】
上記の構成によると、スピーカの音は、非貫通孔及び遮音孔を挟む貫通孔から放たれる。
【００１８】
第６の発明では、上記放音孔は、左右対称に同数及び同形状で配設されている
上記の構成によると、１つのスピーカから左右対称の放音も可能となるので、スピーカを複数個設ける必要がなくなる。
【００１９】
第７の発明では、上記メッシュシートと、両面テープと、透明シートとは、キャビネットの内部から貼り付けられ、
上記メッシュシートは、少なくとも全ての上記貫通孔を覆い、
上記両面テープは、少なくとも全ての上記貫通孔を囲む両面テープ側開口を有し、
上記透明シートは、上記遮音孔を除く貫通孔のみを囲む透明シート側開口を有するように構成されている。
【００２０】
上記の構成によると、デザイン面を変更しないで、簡単な構成で更に容易に音質の制御が行われる。
【００２１】
第８の発明では、上記両面テープは、複数の両面テープ側位置決め用孔を有し、
上記透明シートは、上記両面テープ側位置決め用孔に対応する位置に透明シート側位置決め用孔を有し、
上記キャビネットには、上記各位置決め用孔に対応するように位置決め用突起が形成されている。
【００２２】
上記の構成によると、両面テープ及び透明シートの位置決めが楽になり、作業性の向上が図られる。
【００２３】
第９の発明では、上記スピーカからの音漏れを防止する音漏れ防止手段を有している。
【００２４】
上記の構成によると、音漏れ防止手段によってスピーカからの不快な音漏れが防止される。
【００２５】
第１０の発明では、上記音漏れ防止手段は、スピーカに設けたスピーカ側クッションと、キャビネットに配設されたゴムクッションとを密着することにより形成されている。
【００２６】
上記の構成によると、簡単で組み付けやすい構成でスピーカからの音漏れが確実に防止される。
【００２７】
第１１の発明では、上記携帯通信機器は携帯電話機である。
【００２８】
上記の構成によると、音質がよく見映えのよい携帯電話機が得られる。
【発明の効果】
【００２９】
以上説明したように、本発明によれば、音質を自由に変更しても、デザイン面の変更を伴わないので、音質がよく見映えのよい携帯通信機器が得られる。
【発明を実施するための最良の形態】
【００３０】
以下、本発明の実施形態を図面に基づいて説明する。
【００３１】
図１は、本発明の実施形態に係る携帯通信機器としての携帯電話機１の開いた状態を右方向からみた斜視図である。図２は、図１の閉じた状態を示す右方向からの斜視図である。
【００３２】
図１及び図２に示すように、本実施形態の携帯電話機１は、第１の筐体２と、第２の筐体３とを有し、これらがヒンジ部５によって回転可能に結合されている。
【００３３】
上記第１の筐体２の表面側（内側）には液晶表示部４及び受話部６が設けられ、裏面側（外側）にはオーディオの巻戻しボタン１１、停止・再生ボタン１２、早送りボタン１３、メニューボタン１４、着信を確認したり、メニューを表示したり、不使用時には時計表示するためのサブ表示部１０等が設けられている。
【００３４】
上記第２の筐体３の表面側には、送話部７、情報入力ボタン８、機能ボタン９が、裏面側には、図示しないが、カメラ部、電池蓋がそれぞれ設けられている。
【００３５】
そして、電話、メールの通信時には、上記第１の筐体２と上記第２の筐体３を開いた状態で行い、着信を確認したり、音楽を聞くときには上記第１の筐体２と、上記第２の筐体３を閉じた状態で行うことが可能になっている。
【００３６】
図３に分解して示すように、第１の筐体２は、表面側キャビネット３０と裏面側キャビネット４５とを備えている。この裏面側キャビネット４５に第１〜第３放音孔１５，１６，１７が形成されている。図４に拡大して示すように、このうち中央に配設された第２放音孔１６（本実施形態では３個）は、裏面側キャビネット４５を貫通せず、表面側のみ凹陥された非貫通孔で構成されている。この第２放音孔１６に対して左右対称に裏面側キャビネット４５を貫通する第１放音孔１５及び第３放音孔１７が配設されている。
【００３７】
上記表面側キャビネット３０には、スピーカ取付部４６が形成され、このスピーカ取付部４６にスピーカ４３が配設されている。このスピーカ４３の上から音漏れ防止手段としてのゴム製の音漏れ防止用クッション４１が被せられるようになっている。この音漏れ防止用クッション４１には、中央にスピーカ用窓４２が形成されている。また、スピーカ４３の表面側にも環状の音漏れ防止手段としてのスピーカ側クッション４３ａが貼り付けられている。そして、表面側キャビネット３０と裏面側キャビネット４５との間にマグネシウムフレーム４４を挟み込むようにして第１の筐体２が組み付けられている。このとき、音漏れ防止用クッション４１とスピーカ側クッション４３ａとが当接してスピーカ４３からの音漏れが防止されるようになっている。
【００３８】
このようにして、上記第１〜第３放音孔１５，１６，１７の内側にスピーカ４３が設けられている。このことで、携帯電話機１を閉じた状態で、スピーカ４３の音が放出されるようになっている。このスピーカ４３は、本体に記録した音や、ＳＤカードに記録した音、テレビ受信時の音等を放出するようになっている。
【００３９】
図５に示すように、透明シート５１と、両面テープ５２と、メッシュシート５３とが、裏面側キャビネット４５の裏面側（コア側）から貼り付けられている。これら透明シート５１と、両面テープ５２と、メッシュシート５３とは、図６に示すように両面テープ５２に透明シート５１とメッシュシート５３とが別々の面からそれぞれ貼り付けられた状態で組み付けられている。
【００４０】
図７に示すように、上記透明シート５１は、矩形状を有し、角部の丸い台形状の一対の透明シート側開口５１ａと、一対の丸い位置決め用孔５１ｂとが形成されている。
【００４１】
図８に示すように、上記両面テープ５２には、上記透明シート５１よりも若干小さい両面テープで、上記透明シート側開口５１ａと対応する位置に、該透明シート側開口５１ａよりも内側に幅の広い一対の両面テープ側開口５２ａが形成されている。また、透明シート５１の位置決め用孔５１ｂと同じ位置に位置決め用孔５２ｂが形成されている。
【００４２】
図９に示すように、メッシュシート５３は、両面テープ側開口５２ａよりも若干大きく、メッシュ材料で構成されている。
【００４３】
これらは、組み付けられた状態で裏面側キャビネット４５に形成した一対の位置決め用突起１８に位置決め用孔５１ｂ，５２ｂを挿通して貼り付けられている。
【００４４】
このように構成することで、図５に示すように、左右両側に配置された第１放音孔１５はメッシュシート５３のみで覆われ、音を通すように構成されている。その第１放音孔１５の内側の第３放音孔１７はメッシュシート５３と透明シート５１とで覆われ、貫通孔に見えるが、音を通さない遮音孔となっている。中心に位置する第２放音孔１６は両面テープ５２と透明シート５１と裏面側キャビネット４５とによって覆われ、音を通さないようになっている。
【００４５】
上述したように、第２放音孔１６は、非貫通孔であって、その個数は３個となっている。また、本実施形態では、第１放音孔１５は、貫通孔であってその個数は左右に５個ずつ合計１０個となっている。第３放音孔１７は、遮音孔であって、その個数は左右に２個ずつ合計４個となっている。このように、第１〜第３放音孔１５，１６，１７は左右対称に配置されている。スピーカ４３は、第２放音孔１６の真下にその中心が来るように配置されている。
【００４６】
上記第１から第３放音孔１５，１６，１７、透明シート５１、両面テープ５２及びメッシュシート５３が、スピーカ４３からの放音の方向を制御する放音制御手段を構成している。
【００４７】
−音響特性テスト−
以上説明した第１〜第３放音孔１５，１６，１７は、音響特性テストの結果により、最適な個数で配置されている。
【００４８】
すなわち、デザイン的には、第１〜第３放音孔１５，１６，１７の全てを貫通孔にするのが全体として統一した美観を有して望ましいが、音響特性テストの結果、全てを貫通孔にした場合は、高音が大きくなってしまい、「シャカ、シャカ」といった音で聞き苦しい音になってしまうことがわかった。
【００４９】
そこで、「シャカ、シャカ」といった不快な音を消すために、次の３種類の音響特性テストを実施した。
【００５０】
ケースＡ  第１〜第３放音孔１５，１６，１７の全てを、裏面側キャビネット４５を貫通し、音を通す貫通孔とする（図１０に示す）。
【００５１】
ケースＢ  第１放音孔１５、第３放音孔１７を、裏面側キャビネット４５を貫通し、音を通す貫通孔とし、第２放音孔１６を、裏面側キャビネット４５を貫通せず、音を通さない非貫通孔とする（図１１に示す）。
【００５２】
ケースＣ  第１放音孔１５を裏面側キャビネット４５を貫通した音を通す貫通孔とし、第２放音孔１６及び第３放音孔１７を、裏面側キャビネット４５を貫通せず、音を通さない非貫通孔とする（図１２に示す）。
【００５３】
この３種類の音響特性テストの結果を図１３に示す。
ケースＡのデータは、８５００Ｈｚあたりに音圧のピークがある。
ケースＢのデータは、７７００Ｈｚあたりに音圧のピークがある。
ケースＣのデータは、６９００Ｈｚあたりに音圧のピークがある。
【００５４】
この結果をみると、３種類の音響特性テストの中では、上記ケースＣにて実施すれば不快な「シャカ、シャカ」音が最も少なくなることがわかった。
【００５５】
しかしながら、デザイン的にみれば非貫通孔が７個存在することとなり、見映えがよくない。すなわち、音響特性テストの結果をよくするようにすれば、デザイン性は落ち、デザイン性をよくすれば、音響特性テストの結果が悪くなるという相反する結果になることがわかった。
【００５６】
そこで、本発明では、６９００Ｈｚにピークをもってくることとし、第３貫通孔１７は、裏面側キャビネット４５を貫通した貫通孔を透明シート５１及びメッシュシート５３で覆い、デザイン的には非貫通孔を第３放音孔１６（３個）のみにみせる方法を実現した。
【００５７】
このことで、デザイン的には、第２放音孔１６のみ非貫通孔で、第１放音孔１５、１７は貫通孔に見えるようになった。音響特性テスト的には、透明シート側開口５１ａからのみ音が出るので、上記音響特性テストにおけるケースＣの６９００Ｈｚにピークをもってくることが実現できた。
【００５８】
（その他の実施形態）
本発明は、上記実施形態について、以下のような構成としてもよい。
【００５９】
すなわち、上記実施形態では、音響特性テストの結果から各放音孔１５，１６，１７の個数及び位置を決定したが、この配置及び個数に限定されない。すなわち、放音孔の大きさや、総数を変化させた場合には、それに併せて同様の音響特性テストを行えば、最適な個数及び位置を知ることができる。
【００６０】
なお、以上の実施形態は、本質的に好ましい例示であって、本発明、その適用物や用途の範囲を制限することを意図するものではない。
【産業上の利用可能性】
【００６１】
以上説明したように、本発明は、スピーカの音を放出する放音孔を備えた携帯電話機やＰＨＳ等の携帯通信機器について有用である。
【図面の簡単な説明】
【００６２】
【図１】本発明の実施形態に係る携帯電話機の開いた状態を右方向からみた斜視図である。
【図２】携帯電話機の閉じた状態を右方向からみた斜視図である。
【図３】携帯電話機の第１の筐体及びその内部の分解図である。
【図４】携帯電話機の裏面側キャビネットの放音孔及びその周辺をその裏面側からみた平面図である。
【図５】携帯電話機のメッシュシート、両面テープ、透明シートを裏面側キャビネットに貼り付けた状態を示す平面図である。
【図６】携帯電話機のメッシュシート、両面テープ及び透明シートの組付状態を表面側から示す平面図である。
【図７】携帯電話機の透明シートを示す平面図である。
【図８】携帯電話機の両面テープを示す平面図である。
【図９】携帯電話機のメッシュシートを示す平面図である。
【図１０】スピーカの音響特性のケースＡにおける貫通孔の配置を示す平面図である。
【図１１】スピーカの音響特性のケースＢにおける貫通孔の配置を示す平面図である。
【図１２】スピーカの音響特性のケースＣにおける貫通孔の配置を示す平面図である。
【図１３】スピーカの音響特性を示すグラフである。
【符号の説明】
【００６３】
１      携帯電話機
１５      第１放音孔（貫通孔、放音制御手段）
１６      第２放音孔（非貫通孔、放音制御手段）
１７      第３放音孔（遮音孔、放音制御手段）
１８      位置決め用突起
４１      音漏れ防止用クッション（音漏れ防止手段）
４３      スピーカ
４３ａ    スピーカ側クッション（音漏れ防止手段）
４５      裏面側キャビネット
５１      透明シート（放音制御手段）
５１ａ    透明シート側開口
５１ｂ    位置決め用孔
５２      両面テープ（放音制御手段）
５２ａ    両面テープ側開口
５２ｂ    位置決め用孔
５３      メッシュシート（放音制御手段）
【図１】
2007060140.tif 000003
【図２】
2007060140.tif 000004
【図３】
2007060140.tif 000005
【図４】
2007060140.tif 000006
【図５】
2007060140.tif 000007
【図６】
2007060140.tif 000008
【図７】
2007060140.tif 000009
【図８】
2007060140.tif 000010
【図９】
2007060140.tif 000011
【図１０】
2007060140.tif 000012
【図１１】
2007060140.tif 000013
【図１２】
2007060140.tif 000014
【図１３】
2007060140.tif 000015